(57)【要約】      （修正有）【課題】製造費および廃棄物量を減少させつつ、容器の運搬および容器での作業を簡略化する装置を提供する。【解決手段】蓋付き容器３．１の保持手段１１．１の構成をそれぞれが含む２つの平行な保持プレート２と、管状の容器および当該容器の頂部に径方向外側に突出する閉止要素７．１を有する複数の前記蓋付き容器３．１を備える運搬ユニットであって、１つのグループ１４．１の蓋付き容器３．１が、一方の前記保持プレート２の保持手段１１．１によって互いに平行に保持されており、別のグループ１４．２の蓋付き容器が、他方の前記保持プレート２の保持手段１１．２によって互いに平行に保持されており、１つの前記グループ１４．１の蓋付き容器３．１は、別の前記グループ１４．２の蓋付き容器と反対側に位置合わせされ、互いに入れ子に配置されている、運搬ユニット。【選択図】図７
2014015262.tif 000002
【特許請求の範囲】
【請求項１】
蓋付き容器（３）の保持手段（１１）の構成をそれぞれが含む２つの平行な保持プレート（２）と、
管状の容器（４）および当該容器（４）の頂部に径方向外側に突出する閉止要素（７）を有する複数の前記蓋付き容器（３）を備える運搬ユニットであって、
１つのグループ（１４．１）の蓋付き容器（３．１）が、一方の前記保持プレート（２）の保持手段（１１．１）によって互いに平行に保持されており、
別のグループ（１４．２）の蓋付き容器（３．２）が、他方の前記保持プレート（２）の保持手段（１１．１）によって互いに平行に保持されており、
１つの前記グループ（１４．１）の蓋付き容器（３．１）は、別の前記グループ（１４．２）の蓋付き容器（３．２）と反対側に位置合わせされ、互いに入れ子に配置されている、運搬ユニット。
【請求項２】
前記蓋付き容器（３．１，３．２）の２つのグループ（１４．１，１４．２）および前記２つの保持プレート（２）を包囲する外装（１５）を有する、請求項１に記載の運搬ユニット。
【請求項３】
異なるグループ（１４．１，１４．２）から隣接する蓋付き容器（３．１，３．２）の閉止要素が部分的に重なり合うように、前記保持プレート（２）の前記保持手段（１１．１）と前記蓋付き容器（３）の間隔が決められている、請求項１また２に記載の運搬ユニット。
【請求項４】
前記蓋付き容器（３）が前記保持手段（１１）によって固定保持されるように、前記保持手段（１１）および前記蓋付き容器（３）の寸法が決められている、請求項１から３のいずれかに記載の運搬ユニット。
【請求項５】
前記２つの保持プレート（２）のそれぞれは、第１の直径を有する蓋付き容器（３）を保持する第１の保持手段（１１．１）と、
第２の直径を有する蓋付き容器（３）を保持する第２の保持手段（１１．２）を有し、
前記２つの保持プレート（２）を保持する前記第１および第２の保持手段（１１．１，１１．２）は、ペアになって互いに対向しており、
一方のグループ（１４．１）の蓋付き容器（３．１）は、一方の保持プレート（２）の第１の保持手段（１１．１）によって前記容器（４．１）または前記閉止要素（７）で保持され、
他方の保持プレート（２）の前記第２の保持手段（１１．２）によって前記容器（４．１）は保持されており、
他方のグループ（１４．２）の蓋付き容器（３）は、他方の保持プレート（２）を前記第１の保持手段（１１．１）によって前記容器（４．２）または前記閉止要素（７）で保持され、
一方の保持プレート（２）の前記第２の保持手段（１１．２）によって容器を保持されている、請求項１から４のいずれかに記載の運搬ユニット。
【請求項６】
蓋付き容器（３）の保持手段（１１．１）の構成を有する少なくとも１つの保持プレート（２）と、底部（１８）を有し、当該底部（１８）から上向きに突出し、少なくとも１つの保持プレート（２）が載置される支持手段（２２）を有するホルダ（１７）と、
複数の蓋付き容器（３）を備え、
複数の前記蓋付き容器（３）のそれぞれは、管状の容器（４）と、当該容器（４）の頂部から径方向外側に突出する閉止要素（７）とを有し、前記保持プレート（２）の保持手段（１１）によって、前記容器（４）または前記閉止要素（７）で保持される、作業ユニット。
【請求項７】
前記蓋付き容器（３）が円すい形の円筒領域（５）を有し、前記ホルダ（１７）から前記保持プレート（２）を取り外す場合、前記蓋付き容器（３）を前記保持手段（２）の深部位置に挿入することができるように、前記保持手段（１１）および円すい形の前記円筒領域（５）の寸法が決められ、前記容器は保持手段（１１）によって固定される円すい形の前記円筒領域（５）で保持され、かつ、前記保持プレート（２）が支持手段（２２）に設置された状態で、前記保持プレート（２）が前記蓋付き容器（３）の円すい形の前記円筒領域（５）に対して下降し、前記蓋付き容器（３）が前記保持プレート（２）の前記保持手段（１１）によって隙間を持って保持されるように、前記支持手段（２２）および円すい形の前記円筒領域（５）の寸法が決められている、請求項６に記載の作業ユニット。
【請求項８】
前記保持プレート（２）は、前記蓋付き容器（３）を保持する第１の直径を有する第１保持手段と、
前記蓋付き容器（３）を保持する第２の直径を有する第２の保持手段を有し、
異なるサイズの蓋付き容器のうち大きな蓋付き容器（３．１）が前記第１の保持手段（１１．１）によって大きな直径側に保持され、かつ／または、小さい蓋付き容器（３．２）が前記第２の保持手段によって小さい直径側に保持されるよう構成した、請求項６または７に記載の作業ユニット。
【請求項９】
前記支持手段（２２）は、前記底部から突出する支柱（２２．１）および／または前記底部から突出する側壁（２２．２）で構成した、請求項６から８のいずれかに記載の作業ユニット。
【請求項１０】
前記支持手段（２２）は、頂部に位置合わせ手段（２４）を有し、
前記保持プレート（２）は、位置合わせ手段（１３）を有し、
前記保持プレート（２）は、前記位置合わせ手段（２４）と位置合わせされる、請求項６から９のいずれかに記載の作業ユニット。
【請求項１１】
位置決め手段（１９，２０）が、前記底部（１８）の上部側に配置され、前記保持プレート（２）の前記保持手段（１１）に対向配置されており、
前記保持手段（１１）によって保持されている前記蓋付き容器（３）は、前記位置決め手段（１９，２０）によって下端部を保持されるよう構成した、請求項６から１０のいずれかに記載の作業ユニット。
【請求項１２】
前記位置決め手段（１９，２０）は、前記容器（４）の下端部を受ける凹部（１９）を前記底部（１８）の上部側に有し、かつ／または、当該容器（４）の下端部への静摩擦を増大させる被覆部（２０）を前記底部（１８）の上部側に有する、請求項１１に記載の作業ユニット。
【請求項１３】
前記ホルダ（１７）は、少なくとも下端部が作業台に対して静摩擦を増大せる材料から構成される足部（２１）を前記底部の下側に有する、請求項６から１２のいずれかに記載の作業ユニット。
【請求項１４】
前記ホルダ（１７）および挿入された蓋付き容器（３）、および／または、前記蓋付き容器（３）を備えた前記保持プレート（２）は、ハウジングに配置されている、請求項６から１３のうちの一項に記載の作業ユニット。
【請求項１５】
前記保持手段（１１．１）が行および列に配置されている、請求項１から１４のいずれかに記載のユニット。
【請求項１６】
前記第１および第２の保持手段（１１．１，１１．２）は、各行各列に交互で配置されており、
前記第１の保持手段（１１．１）並びに前記第２の保持手段（１１．２）は、隣接する行および列に互いにずれて配置されている、請求項１５に記載のユニット。
【請求項１７】
隣接する保持手段（１１．１，１１．２）の間隔が、５５〜６５ｍｍであり、かつ／または、前記保持プレート（２）および／または前記ホルダ（１７）は矩形の底部領域を有し、その１つ以上の縁の長さがそれぞれ１３０ｍｍまたはその整数倍または因数である、請求項１から１６のいずれかに記載のユニット。
【請求項１８】
前記保持手段（１１）は、容器（４）または閉止要素（７）を受ける少なくとも１つの保持プレート（２）の孔（１２．１）、および／または、少なくとも１つの保持プレート（２）の内側に閉止要素（７）と係合する係合手段（２８）、および／または、少なくとも１つの保持プレート（２）の内側に蓋付き容器（３）の下端部と係合する係合手段（２８）、および／または、少なくとも１つの保持プレート（２）の内側に保持手段（１１．１）間に配置される接触面（２５）を有する、請求項１から１７のいずれかに記載のユニット。
【請求項１９】
前記保持プレート（２）、および／または、前記ホルダ（１７）、および／または、前記蓋付き容器（３）、および／または、前記ハウジングが、少なくとも１つのプラスチックから製造される、請求項１から１８のいずれかに記載のユニット。
【請求項２０】
２つの平行な保持プレート（２）であって、それぞれが蓋付き容器（３）の保持手段（１１）の構成を含む保持プレート（２）と、
複数の蓋付き容器（３）であって、それぞれが、管状の容器（４）および当該容器（４）の頂部に容器（４）に対して径方向外側に突出する閉止要素（７）を有する蓋付き容器（３）を備える運搬ユニット（１）であって、
１つのグループ（１４．１）の蓋付き容器（３．１）が、一方の前記保持プレート（２）の保持手段（１１．１）によって互いに平行に保持されており、
別のグループ（１４．２）の蓋付き容器（３．２）が、他方の前記保持プレート（２）の保持手段（１１．１）によって互いに平行に保持されており、
１つのグループ（１４．１）の蓋付き容器（３．１）は、別の前記グループ（１４．２）の蓋付き容器（３．２）と反対側に位置合わせされ、互いに入れ子になっている底部（１８）を有し、
前記底部（１８）から上向きに突出し、少なくとも１つの保持プレート（２）が載置される支持手段（２２）を有し、前記運搬ユニット（１）の容器（３）のグループ（１４）が配置されている状態で、少なくとも１つの保持プレート（２）が支持手段に載置されることのできるホルダ（１７）を有する運搬ユニット（１）を備えた、運搬作業装置。
【請求項２１】
請求項２０および請求項１から１９の少なくともいずれかに記載の装置。
【請求項２２】
前記運搬ユニット（１）は、いずれの場合も、容器（４）のグループ（１４）が保持されている前記保持プレート（２）を互いから分離することによって解体され、蓋付き容器（４）のグループ（１４）がそれによって保持されている少なくとも１つの保持プレート（２）が前記ホルダ（１７）に載置される、請求項２０または２１の装置の使用。
【発明の詳細な説明】
【技術分野】
【０００１】
本発明は、保持プレートおよび容器を備える運搬ユニット、保持プレート、ホルダおよび容器を備える作業ユニット、運搬ユニットを備えた運搬作業装置並びにこれらを備えた装置に関する。
【背景技術】
【０００２】
異なる材質からなるさまざまなサイズの容器が、化学実験室、生化学実験室、生物学実験室、医学実験室または法医学実験室において、試薬および試料の処理に使用される。使い捨てのプラスチック製容器は、特定の液体または液体混合物用にのみ利用され、その後廃棄されるものが、一般に普及している。容器は、特定の清浄度で製造者によって納品されるか、あるいは、それぞれ使用前に加圧滅菌されてもよい。使い捨てのプラスチック製容器を使用することで、試薬および試料の汚染が避けられる。
【０００３】
容器は、プラグ状の蓋、またはねじ蓋を備えているのが好ましい。
【０００４】
公称容積がわずか１〜１００ｍＬの範囲内にある使い捨てのプラスチック製容器が、特に利用可能である。特に公称容積が０．５ｍＬ、１．０ｍＬ、１．５ｍＬ、２．０ｍＬ、１５ｍＬおよび５０ｍＬの容器が、一般的である。
【０００５】
本願は、閉止要素を有し公称容積が少なくとも１０ｍＬの容器に関する。公称容積は、好ましくは最大で１００ｍＬに達する。容器の公称容積は、特に、１５ｍＬおよび５０ｍＬである。これらの容器は、円筒領域と、円筒状の領域の底部に円すい領域と、円筒領域の頂部に閉止要素とを有する。閉止要素は、円筒領域に対して径方向外側に突出している。円筒領域は、理想的には円筒形である。すなわち、頂部から下方にわずかに円すい形の先細り部を有して設計されている。円筒領域のわずかな円錐は、型抜きに関連する理由および取扱い上の理由に起因する。この円錐は、特に、凹部に容器を定めて載置するのに好都合である。円すい形の先細りの開口角度の半分は、好ましくは最大５度に達し、好ましくは１度に達する。容器の蓋がねじ蓋である場合、円筒領域の頂部は、ねじ蓋がねじ止めされる外周縁上におねじを有する。閉止要素を有するこれらの容器は、「遠心分離管」（コニカルチューブ）とも呼ばれ、商品名ファルコン（登録商標）チューブとして販売されている。本願では、以下、これらを「蓋付き容器」、または単に「容器」と呼ぶ。
【０００６】
従来、蓋付き容器は、プラスチック袋に入れて、またはプラスチック製フィルムのカバーとともにトレイ（ラック）にのせて、まとめて搬送される。このトレイは、発泡スチロールまたは成形プラスチックでできている。トレイは、容器が直立して保持される深い凹部を有する発泡スチロールから構成される厚板形状のものが知られている。薄肉の底部プレートとウェブを使用してそこからある距離をおいて保持される多孔板とを有するトレイもまた、知られており、これらはそれぞれ成形プラスチックから構成される。ウェブは、一体成形ヒンジを使用して多孔板に接続されており、底部プレートの孔に下でラッチ係合する。底部プレートは、多孔板の各孔の反対側に縁を有する。容器は、その円筒領域で多孔板の孔に保持され、縁によってその円すい領域に保持される。
【０００７】
発泡スチロールのトレイは、耐薬品性が低く、耐高温性が低い。プラスチックから構成されるトレイは、製造が複雑であり、廃棄物量の増加と関連する。
【０００８】
空間上の理由で、容器は、トレイに極めて緊密に隣り合わせで配置されている。したがって、容器間にはほんの小さな自由空間しか残らない。その結果、トレイ上の容器にアクセスするのが困難である。容器を開閉し、充填し、取り外すためにトレイが実験室で使用される場合、このことは特に不都合である。さらに、知られている容器包装では、大量の廃棄物があることも不都合である。最後に、市販のトレイの印象は、たいてい低品質である。
【０００９】
文献ＧＢ２ ４７８ ７０３Ａは、第１のトレイおよび第２のトレイを有する容器包装を記載している。トレイはそれぞれ、容器の断面を保持する凹部が配置されている。容器は、テーパの付いた首にねじ止めされるねじ蓋を有するので、ねじ蓋は、容器の下部に対して径方向外側に突出することはない。包装が閉止されると、各トレイの凹部は内方に向き、第１のトレイの凹部は、第２のトレイの凹部に対して外れて配置される。したがって、包装が閉止されると、各トレイの各凹部は容器を保持することができ、容器は互いに接触しない。一実施形態で、容器は両方のトレイの凹部に両端で保持される。
【先行技術文献】
【特許文献】
【００１０】
【特許文献１】イギリス国出願公開公報ＧＢ２ ４７８ ７０３Ａ
【発明の開示】
【発明が解決しようとする課題】
【００１１】
このような背景に基づいて、本発明の目的は、製造費および廃棄物量を減少させつつ、容器の運搬および容器での作業を簡略化する装置を提供することである。
【課題を解決するための手段】
【００１２】
本目的は、請求項１の特徴を有する運搬ユニットによって達成される。運搬ユニットの有利な実施形態は、従属する請求項に明記される。
【００１３】
本発明の運搬ユニットは、蓋付き容器の保持手段の構成をそれぞれが含む２つの平行な保持プレートと、管状の容器および当該容器の頂部に径方向外側に突出する閉止要素を有する複数の前記蓋付き容器とを含む。蓋付き容器のうちの１つのグループの蓋付き容器が、一方の保持プレートを保持する手段によって互いに平行に保持されており、蓋付き容器の別のグループの蓋付き容器が、他方の保持プレートを保持する手段によって互いに平行に保持されており、１つのグループの蓋付き容器は、別のグループの蓋付き容器と反対側に位置合わせされ、互いに入れ子に配置されている。
【００１４】
本発明の運搬ユニットによって、１つのグループの蓋付き容器は、他のグループの蓋付き容器と反対の位置に位置合わせされる。容器またはその閉止要素で蓋付きの容器を保持するために、保持プレートのそれぞれは、保持手段を有する。容器に対して径方向外側に突出する閉止要素によって、隣接する蓋付き容器が互いに接近するのを妨げない。特に、異なるグループが反対の位置に位置合わせされるので、閉止要素が互いから離れて、異なる保持プレートの隣に配置され、同じ保持プレートの隣り合わせに配置されない。したがって、蓋付き容器を、運搬ユニット内で隣り合わせに極めて近く配置することができる。さらに、保持プレートの材料費は、低い。このプレートは、薄い壁を有して設計することができる。しかし、運搬ユニットの安定性は高い。つまり、蓋付き容器のそれぞれは、少なくとも１つの保持プレートで保持され、蓋付き容器の２つのグループの入れ子構成によって保持されるからである。蓋付き容器を使用するために、その上にそれぞれのグループの蓋付き容器が保持されている保持プレートを互いに離反する方向に引っ張ることができ、蓋付き容器をそれぞれの保持プレートから取外すことができる。しかし、個々の蓋付き容器は、運搬ユニットから直接取外すことも可能である。蓋付き容器を取り外した後、保持プレートは廃棄または再利用が可能となる。したがって、本発明の運搬ユニットは、概して、材料を節約し大量の廃棄物の排出を回避することができる。
【００１５】
１つの設計によると、運搬ユニットは、２つのグループの蓋付き容器および２つの保持プレートを包囲する外装を有する。これによって、運搬ユニットの保持強度が高められ、容器が汚染および周囲条件の悪影響から保護される。この包装は、特に、袋またはプラスチック製フィルム、ブリスタ・トレイまたは折畳み式ボックスであってもよい。加えて、上述の外装の組合せが使用可能である。
【００１６】
１つの設計によると、異なるグループからの隣接する蓋付き容器の閉止要素が部分的に重なり合うように、保持プレートおよび蓋付き容器に保持する手段の間隔の寸法が決められる。特にスペースをとらない構成が、これによって達成される。
【００１７】
さらなる設計によると、蓋付き容器が保持手段によって締着されて保持されるように、保持手段および蓋付き容器の寸法が決められる。特に安定した運搬ユニットが、これによって達成される。さらに、運搬ユニットが、互いに離れており、蓋付き容器を備える２つの保持プレートに簡単に分離される。
【００１８】
好ましくは、運搬ユニットを保持する手段が、公称容積が５０ｍＬの蓋付き容器、および／または公称容積が１５ｍＬの容器を保持する。
【００１９】
基本的に、本発明の運搬ユニットは、２つのグループの蓋付き容器が互いの範囲内で入れ子に配置されて、保持が可能である。この結果として、運搬ユニットを十分に保持することのできる摩擦力が、異なるグループの蓋付き容器間に作用する。加えて、運搬ユニットは、外装によって安定化が可能である。外装は、２つの保持プレートおよび／または２つのグループの蓋付き容器を保持するので、運搬用の包装内でこれが変位しない。
【００２０】
運搬ユニットの好ましい設計によると、２つの保持プレートは、それぞれ、第１の直径を有する蓋付き容器を保持する第１の手段と、第２の直径を有する蓋付き容器を保持する第２の手段とを有する。２つの保持プレートを保持する第１および第２の手段が、ペアになって互いに対向しており、１つのグループの蓋付き容器が、１つの保持プレートを保持する第１の手段によって容器または閉止要素で保持され、他の保持プレートを保持する第２の手段によって容器で保持されており、他のグループの蓋付き容器が、他の保持プレートを保持する第１の手段によって容器または閉止要素で保持され、保持プレートを保持するための第２の手段によって容器で保持されている。この設計によって、両グループの蓋付き容器は、両方の保持プレートでそれぞれ保持される。この目的のために、両方の保持プレートのそれぞれは、第１および第２の保持手段を有する。第１の保持手段は、さらに容器の頂部で、あるいは閉止要素で、それぞれ蓋付き容器を保持し、第２の保持手段は、さらに容器の底部で蓋付き容器を保持する。
【００２１】
本願では、記載が第１の保持手段ならびに第２の保持手段の両方に関連する場合、第１および第２の保持手段を「保持手段」とも呼ぶ。
【００２２】
さらに、本目的は、請求項６の特徴を有する作業ユニットによって達成される。作業ユニットの有利な実施形態は、従属請求項にて特定されている。
【００２３】
本発明による作業ユニットは、蓋付き容器を保持する手段の構成を有する少なくとも１つの保持プレートと、底部を有し、底部から上向きに突出し、少なくとも１つの保持プレートは、載置される支持手段を有するホルダと、複数の蓋付き容器とを備え、複数の蓋付き容器はそれぞれは、管状の容器と、容器の頂部に容器に対して径方向外側に突出する閉止要素とを有し、保持プレートの保持手段によって、容器または閉止要素の頂部で保持される。
【００２４】
本発明の作業ユニットによって、実験室で蓋付き容器を極めて良好に操作し、蓋付き容器にアクセスすることができる。蓋付き容器は、保持プレートの保持手段によって、所定の向きに安定して保持される。閉止要素の領域では、容器は互いから間隔があるので、個々の蓋付き容器の握持し、開閉し、充填するのが容易となる。作業ユニットは、蓋付き容器を備えた本発明による運搬ユニットの保持プレートにより都合よく完成する。この目的のために、蓋付き容器が保持手段によって保持されている保持プレートは、ホルダの支持手段の頂部に配置可能である。保持プレートの保持手段にある使用されていない自由空間を、保持プレートの支持手段への正確な位置合わせを制御するために使用可能である。ホルダは、再利用可能である。ホルダは、高品質で魅力的な外観に設計可能である。すべての蓋付き容器を取り外した後、保持プレートをホルダから取り外し、廃棄または再利用することができる。その後、蓋付き容器を備えるさらなる保持プレート、例えば運搬ユニットの第２の保持プレートをホルダに配置することができる。概して、作業ユニットは製造費を抑え、廃棄量が減少する。作業ユニットは、蓋付き容器を保持プレートに収集し、これらを保持プレートとともに廃棄すべく、使用済の蓋付き容器を受けるために使用されでもよい。
【００２５】
１つの設計によると、蓋付き容器は僅かに円すい形の円筒領域を有し、ホルダから保持プレートを取り外す場合に、蓋付き容器を保持手段の深部位置に挿入することができるように、保持手段および僅かに円すい形の円筒領域の寸法が決められ、容器は保持手段の深部位置で、保持手段によって固定される僅かに円すい形の円筒領域で保持され、かつ保持プレートが支持手段に設置された状態で、保持プレートが蓋付き容器の僅かに円すい形の円筒領域に対して下降して、蓋付き容器が保持プレートの保持手段によって隙間を持って保持されるように、支持手段および僅かに円すい形の円筒領域の寸法が決められる。この設計によると、保持プレートがホルダに配置される前に、蓋付き容器が保持プレートによって確実に保持される。すなわち、蓋付き容器を備える２つの保持プレートによって形成される運搬ユニットの安定性の面で有利となる。さらに、この設計によれば、蓋付き容器を備えた保持プレートを運搬ユニットからホルダまで運ぶのに有利となる。蓋付き容器が固定保持されている保持プレートは、支持手段に容易に位置合わせ可能であり、その上に配置可能である。取り外された保持プレートでは、蓋付き容器は、これらを作業ユニットから容易に取り外すことができるように、保持プレートにゆるく保持されているだけである。
【００２６】
１つの設計によると、保持プレートは、蓋付き容器を保持する第１の手段を第１の直径上に、蓋付き容器を保持する第２の手段を第２の直径上に有し、大きな蓋付き容器が第１の保持手段によって大きな直径上に保持され、かつ／または、小さな蓋付き容器が第２の保持手段によって小さな直径上に保持されている。
【００２７】
保持プレートは、好ましくは、第１の保持手段によって保持される大きな容器、あるいは第２の保持手段および／または第１の保持手段によって保持される小さな容器、あるいは、第１の保持手段によって保持される大きな容器および第２の保持手段によって保持される小さな容器を備えていてもよい。装備のあらゆる変形例によって、容器をそれぞれ開口または閉止し、開口している容器に液体を充填しホルダから容器を取り外すために、閉止要素にアクセスすることが容易となる。
【００２８】
大きな容器の公称容積は、５０ｍＬが好ましい。
【００２９】
小さな容器は、好ましくは公称容積１５ｍＬの容器である。
【００３０】
好ましい設計によると、ホルダは、少なくとも２つの対向面に支持手段を有する。さらなる設計によると、支持手段が、底部から突出するポスト、および／または底部から突出する側壁を有する。このポストは、底部の角に配置されるのが好ましい。ポストを有する設計は、特に、材料を節約できる。側壁を有する設計は、特に安定している。
【００３１】
さらなる設計によると、支持手段が、位置合わせ手段を頂部に有し、保持プレートが、保持プレートを位置合わせ手段によって位置合わせするさらなる位置合わせ手段を有する。位置合わせ手段を使用することにより、保持プレートおよびホルダを安定した構成で結合する。さらなる設計によると、保持プレートおよび支持手段は、ともにスナップ嵌合するか、あるいは保持プレートおよび支持手段を締め付けて接続するためのラッチ手段および／またはクランプ手段を有する。
【００３２】
１つの設計によると、位置決め手段が、底部の頂部側に配置され、保持プレートの保持手段の反対側に配置されており、保持手段によって保持されている蓋付き容器が、位置決め手段によってこれらの下端部で保持されている。蓋付き容器は、特に、保持手段および位置決め手段を使用することによって、予め定められた位置合わせで安定して保持されている。
【００３３】
さらなる設計によると、位置決め手段は、蓋付き容器の下端部を受ける凹部を底部の頂部側に有し、かつ／または、蓋付き容器の下端部への静摩擦を増大させる被覆部を底部の頂部側に有する。ねじ蓋として形成されている閉止要素をゆるめるかそれぞれ締め付けるために片手のみを使用する場合に、この被覆部は、付加的に蓋付き容器の回転を防止することができる。
【００３４】
さらなる設計によると、ホルダは底部の下側に足部を有する。この足部は、少なくとも下端部が、実験室の作業台に対して大きな静摩擦を有する材料から構成される。作業台は、プラスチック、セラミック、石器、ガラス、または実験室において一般に使用される別の材料から構成される面である。この足によって、特に容器を取り外す間に、作業ユニットが作業台で予想外に滑るのを防止する。
【００３５】
さらなる設計によると、作業ユニットは、ホルダおよび挿入された容器、および／または容器を備えた保持プレートを包囲するハウジングを有する。ハウジングは、好ましくは矩形の底部領域を有する。底部領域は、１つ以上の縁部の長さがそれぞれ１３０ｍｍまたは整数倍またはその因数である。ハウジングによって、ホルダの容器をたとえば冷蔵庫または冷凍庫に保管することができる。特定の底部領域を有するハウジングは、１つ以上の縁部の長さがそれぞれ１３０ｍｍまたは整数倍またはその因数である。さらなる設計によると、ハウジングには蓋がある。この蓋は、開位置では、作業ユニット、および／または容器を備えた保持プレートを取外したり挿入したりすることができ、閉位置では、周囲条件の影響から保護する。ハウジングは、再利用できることが好ましい。あるいは、運搬ユニットの外装をハウジングとして使用してもよい。
【００３６】
次の設計は、運搬ユニットおよび作業にユニットに適用される。
【００３７】
１つの設計によると、保持手段は、行および列に配置されている。好ましい設計によると、行は互いに一定の間隔があり、列は互いに一定の間隔がある。さらなる設計によると、行の間隔は列の間隔と同じである。
【００３８】
さらなる設計によると、第１および第２の保持手段は、各行各列に交互で配置されており、第１の保持手段ならびに第２の保持手段が、隣接する行および列に互いにずれて配置されている。この設計によって、２つの同じ保持プレートを備えた運搬ユニットを形成ことができる。さらに、第１および第２の保持手段の構成によって、特に高い実装密度を得ることができる。
【００３９】
さらなる設計によると、隣接する保持手段の間隔が、５５〜６５ｍｍ、好ましくは５９ｍｍであり、かつ／または、保持プレートおよび／またはホルダが矩形の底部領域を有し、その１つ以上の縁の長さが１３０ｍｍまたはその整数倍または因数である。保持手段間の間隔によって、特に高い実装密度を得ることができる。さらに、保持プレートまたはホルダのそれぞれの底部領域によって、保持プレートまたはホルダをそれぞれ冷凍庫に配置することができる。冷凍庫は、一般に、その１つ以上の縁の長さが１３０ｍｍまたはその整数倍または因数の底部領域を有する。
【００４０】
好ましい設計によると、保持手段が、容器または閉止要素を受ける少なくとも１つの保持プレートの孔、および／または、少なくとも１つの保持プレートの内側に、閉止要素と係合する係合手段、および／または、少なくとも１つの保持プレートの内側に、蓋付き容器の下端部と係合する係合手段、および／または、少なくとも１つの保持プレートの内側に、第１の保持手段間に配置される接触面を有する。
【００４１】
保持手段の第１の変形例によって、保持プレートが多孔板として設計される。多孔板は、蓋付き容器の第１の直径用の第１の孔と、蓋付き容器の第２の直径用の第２の孔とを備えるのが好ましい。第１の孔は、第２の孔よりも大きいのが好ましい。本願では、第１の孔および第２の孔をともに、「孔」とも呼ぶ。
【００４２】
閉止要素と係合する係合手段は、例えば、保持プレートの内側から突出し閉止要素を受けるカラー、および／または、保持プレートの内側から突出し閉止要素の外側で凹部に係合する突起を有する。蓋付き容器の下端部と係合する係合手段は、例えば、保持プレートの内側から突出し、円すい領域の端部を受けるカラー、および／または、保持プレートの内側に配置され、円すい領域の端部を受ける凹部を有する。
【００４３】
さらなる変形例による保持手段は、蓋付き容器の下端部用に保持プレートの内側に接触面を有するように実現される。下端部で接触面に載置されている蓋付き容器は、接触面によって軸方向に支持される。さらに、蓋付き容器は、隣接する蓋付き容器によって側方に支持される。隣接する蓋付き容器は接触面で保持プレートによって保持される。第１および第２の保持手段のさまざまな変形例はまた、運搬ユニットおよび／または作業ユニットの任意の組合せに存在していてもよい。
【００４４】
保持手段が保持プレートの孔である運搬ユニットの１つの設計により、閉止要素がこれらの孔に保持されている容器は、保持プレートの外側に他の保持プレートから離れて対向して配置される。蓋付き容器の保持手段が孔である作業ユニットの設計によって、その閉止要素がこれらの孔に保持されている蓋付き容器は、底部から離れて対向して保持プレートの外側に配置される。
【００４５】
さらなる設計によると、保持手段は、いずれの場合にも、保持プレートの切欠きに配置されているウェブを有する。ウェブの間には開口領域があり、開口領域に蓋付き容器を挿入することができる。例えば、開口領域をその内端部によって制限するために、３個または４個のこのようなウェブが切欠きの縁部から径方向内側に突出する。ウェブは、接線方向に開口領域を制限することもできる。ウェブは、剛性または弾性に形成可能である。
【００４６】
さらなる設計によると、保持プレート、および／またはホルダ、および／または蓋付き容器が、少なくとも１つのプラスチックから製造される。好ましくは、使用する材料は、加圧滅菌されることができ、かつ／または、耐薬品性がある。さらに、廃棄物問題を減少させるために、保持プレートおよび／またはホルダは、バイオベースのプラスチックから構成されるのが好ましい。
【００４７】
運搬ユニットおよび／または作業ユニットのさらなる設計によると、蓋付き容器が、円筒領域および下端部に底部を有する管状の容器を有する。好ましい設計によると、円筒領域は、僅かに円すい形である。すなわち、円筒領域は、頂部から下方へ先細りのテーパが付けられている。円筒領域の円すい角の半分は、好ましくは最大で５度に達し、さらに好ましくは最大で１度に達する。この容器は、底部が下端部にある円筒領域のみを有していてもよい。さらなる設計によると、容器が、下方へテーパが付けられている円すい領域を有する。蓋付き容器の底部は、円すい領域の底部にある。この容器は、底部を備えた円すい領域のみを有していてもよい。好ましくは、円すい領域が円筒領域の底部に隣接する。さらなる設計によると、容器がカップ状の底部を有する。さらなる設計によると、閉止要素がハウジングの蓋である。さらなる設計によれば、閉止要素が、スナップ嵌めのキャップまたはプラグである。
【００４８】
好ましい設計によると、閉止要素がねじ蓋であり、容器が上縁部にねじ山を有する。さらなる設計によると、ねじ蓋が雌ねじを有し、円筒領域が上縁部に雄ねじを有する。
【００４９】
さらに、本発明が、請求項２０の特徴を有する運搬作業装置を備える。この装置は、請求項１に記載の運搬ユニットと、請求項６に記載の作業ユニットを形成するためのホルダとから構成される。
【００５０】
有利な装置の設計は、請求項１〜５のうちの１つに記載の運搬ユニット、および／または、請求項６〜１４のうちの１つに記載の作業ユニット、および／または、請求項１５〜１９のうちの１つに記載の運搬ユニットまたは作業ユニットの特徴を有する。
【００５１】
最後に、本発明は、請求項２２に記載の請求項２０または２１の運搬作業装置の使用を含む。
【００５２】
本発明による請求項２０または２１の装置の使用法によって、いずれの場合でも、グループの蓋付き容器がそこに挿入されている保持プレートを互いに分離することによって、運搬ユニットが解体され、１つのグループの蓋付き容器がそこに挿入されている少なくとも１つの保持プレートが、ホルダに配置される。
【００５３】
請求項１から５のそれぞれに記載の運搬ユニット、請求項６から１１のそれぞれに記載の作業ユニット、請求項２０または２１に記載の装置および請求項２２に記載の使用は、閉止要素が円筒形要素に対して径方向外側に突出しておらず、むしろ、例えば円筒領域と同一平面であるか、凹形である蓋付き容器によっても実施可能である。これらの蓋付き容器は、例えば、円筒領域の上端部にある雌ねじにねじ止めされる雄ねじを有する閉止要素、または、プラグの形をしており円筒領域に押し込むことのできる閉止要素を有する。出願人は、このような運搬ユニットおよび／または作業ユニットおよび／またはその使用の実施を請求する権利を持つ。
【００５４】
本願では、「底部」および「頂部」の指定は、容器がその円筒部分の軸と垂直に位置合わせされる運搬ユニットおよび作業ユニットに関するものである。蓋付き容器に関して、これらの指定は、閉止要素が頂部にあり容器が下部にある蓋付き容器の垂直方向の位置合わせに関するものである
【００５５】
本発明を、添付されている例示的な実施形態の図面を参照しつつさらに説明する。
【図面の簡単な説明】
【００５６】
【図１】大きな容器を含む運搬ユニットを上面および側面からみた斜視図である。
【図２】同じ運搬ユニットの側面図である。
【図３】同じ運搬ユニットの上面図である。
【図４】同じ運搬ユニットにおける容器のねじ蓋の構成の上面図である。
【図５】運搬ユニットの保持プレートの上面図である。
【図６】同じ保持プレートの側面図である。
【図７】大きな容器を含む作業ユニットを上面および側面からみた斜視図である。
【図８】作業ユニットのホルダを上面および側面からみた斜視図である。
【図９】同じホルダの正面図である。
【図１０】同じホルダの側面図である。
【図１１】作業ユニットの別のホルダを上面および側面からみた斜視図である。
【図１２】同じホルダの正面図である。
【図１３】同じホルダの側面図である。
【図１４】大きな容器を含むさらなる運搬ユニットであって、２つ異なるサイズの多孔板によって蓋付き容器の円筒領域で保持されている運搬ユニットの側面図である。
【図１５】大きな容器を含むさらなる運搬ユニットであって、いずれの場合も、その円筒領域で保持プレートによって保持されており、さらなる大きな容器間においてその停止面で他の保持プレートによって保持されている運搬ユニットの図である。
【図１６】容器の円筒領域を保持する第１の孔を形成された保持プレートを含む運搬ユニットの詳細図である。
【図１７】容器の円筒領域を保持するばね要素を有する第１の孔の形成された保持プレートを含むさらなる運搬ユニットの詳細図である。
【図１８】保持プレートを含み、容器を保持する縁取りが閉止要素にある運搬ユニットの詳細図である。
【図１９】容器を保持する突起が閉止要素の凹部にある保持プレートを含む運搬ユニットの詳細図である。
【図２０】小さな容器を含む他の実施形態の運搬ユニットの上面図である。
【図２１】同じ運搬ユニットの側面図である。
【発明を実施するための形態】
【００５７】
本発明の特徴は、同じ用語に同一参照番号が付される。異なる設計（実施形態）の用語は、小数点より前に同じ番号が付され、小数点より後が実施形態が区別される参照番号になっている。すなわち、本発明の各実施形態の特徴は、小数点より前の参照番号によってのみ分類される。
【００５８】
図１から４によると、運搬ユニット１．１は、互いに平行な２つの保持プレート２と、互いに平行な大きな蓋付き容器３．１とを含む。
【００５９】
大きな蓋付き容器３．１のそれぞれは、容器４．１を有する。容器４．１は、円筒領域５．１と、その下端部に底部を有する円すい領域６．１を有する。円筒領域５．１は、成形に関連する理由および取扱い上の理由のため、理想的な円筒形でなく、頂部から下方に僅かに先細りになっている。円筒領域５．１は、上縁部に雄ねじを有する。円筒領域５．１および円すい領域６．１は、中空であり、共に液体用の受け器を形成する。
【００６０】
雌ねじを有するねじ蓋７．１は、雄ねじにねじ止めされる。ねじ蓋７．１は、蓋のケーシングを備えた円形でディスク形の蓋の底部を有し、その外側は溝が形成されており、外端縁から径方向下方に突出している。ねじ蓋７．１は、円筒領域５．１に対して僅かに径方向外側に突出している。
【００６１】
図５および図６によると、保持プレート２は、矩形プレート１０を有し、この中に、複数個の第１の孔１１．１および複数個の第２の孔１１．２が配置されている。第１の孔１１．１は、第２の孔１１．２よりも大きい。第１の孔１１．１および第２の孔１１．２は、４行６列のマトリックス状の構成で配置されている。各行では、第１の孔１１．１および第２の孔１１．２が交互に配置されている。また、各列では、第１の孔１１．１および第２の孔１１．２が交互に配置されている。第１の孔１１．１および第２の孔１１．２は、隣接する行において互いにずれて配置されている。さらに、第１の孔１１．１および第２の孔１１．２は、隣接する列において互いにずれて配置されている。
【００６２】
実施例では、保持プレート２が、１２個の第１の孔１１．１および１２個の第２の孔１１．２を有する。
【００６３】
行のおよび列にある隣接する孔１１．１と１１．２の中心から中心の距離は、一定である。実施例では、この距離は５９ｍｍである。
【００６４】
ねじ蓋を有し公称容積が５０ｍＬの大きな蓋付き容器３．１が、その円筒領域５．１によって締着されながら第１の孔１１．１に挿入され、ねじ蓋を有し公称容積が１５ｍＬの小さな蓋付き容器３．２が、その円筒領域５．２によって締着されながら第２の孔１１．２に挿入されることができるように、第１の孔１１．１および第２の孔１１．２の直径が選択される。
【００６５】
以下の表は、一例として、５０ｍＬの蓋付き容器３．１および１５ｍＬの蓋付き容器３．２用の、ねじ蓋７（蓋の直径（φ））と、上端部の円筒領域５（円筒開口部の直径（φ））と、下端部の円筒形の領域５（円すい領域の円筒開始部の直径（φ））と、保持プレート２の第１の孔１１．１（ラック：直径（φ）大）と、保持プレート２の第２の孔１１．２（ラック：直径（φ）小）との関連する直径および直径範囲をまとめたものである。ねじ蓋７の直径、円筒領域５の上端部、および、円筒領域５の下端部は、外径である。第１の孔１１．１および第２の孔１１．２の直径は、内径である。
【００６６】
表は関連する直径を備え、直径は以下に及ぶ。
【表１】
2014015262.tif 000003
【００６７】
さらに、保持プレート２の四隅のそれぞれには、案内孔１３を有する。
【００６８】
運搬ユニット１．１では、２つの保持プレート２のそれぞれは、一方の保持プレート２の第１の孔１１．１が他方の保持プレート２の第２の孔１１．２に位置合わせされるように配置されている。
【００６９】
図１から図４によると、運搬ユニット１．１は、大きな蓋付き容器３．１のグループ１４．１を有する。これらは円筒領域５．１によって保持プレート２の第１の孔１１．１に挿入されるので、そこに締着されて保持される。グループ１４．１の蓋付き容器３．１のねじ蓋７．１は、同じ保持プレート２の外側に配置されている。このグループ１４．１の大きな蓋付き容器３．１の円すい領域６．１は、対向する保持プレート２の第２の孔１１．２に配置されている。
【００７０】
さらに、運搬ユニット１．１は、大きな蓋付き容器３．１の第２のグループ１４．２を含む。これらは円筒領域５．１によって他方の保持プレートの第１の孔１１．１に挿入されるので、そこに固定保持される。グループ１４．２の蓋付き容器３．１は、そのねじ蓋７．１が保持プレート２の外側にある状態で配置されている。加えて、蓋付き容器３．１は、その円すい領域６．１によって、一方の保持プレート２の第２の孔１１．２に挿入される。
【００７１】
蓋付き容器３．１は、特に、運搬ユニット１．１に緊密に詰められる。保持プレート２の孔１１．１、１１．２間の距離を適切に選択することで、蓋付き容器３．１は、これらがその円筒領域５．１の外側ケーシングで互いに接触するように緊密に詰められることが可能である。図４によると、異なるグループ１４．１、１４．２の蓋付き容器３．１のねじ蓋７．１は、互いに衝突せずに重なり合う。すなわち、これらは対向する２つ保持プレート２の異なる外側にグループごとに分けて配置されている。
【００７２】
図７によると、作業ユニット１６．１は、保持プレート２、大きな蓋付き容器３．１、およびホルダ１７．１を含む。
【００７３】
図８から図１０によると、ホルダ１７．１は、矩形プレートの形をした底部１８を有する。底部１８は、頂部側に凹部１９を有し、本実施例では、下から上方に円錐形に広がる。さらに、底部１８の頂部側には、被覆部２０があり、蓋付き容器３と比べると静摩擦が大きい。
【００７４】
凹部１９は、マトリックス状の構成で行および列に配置されている。この構成は、プレート２の孔１１の構成に対応する。凹部１９は、大きな蓋付き容器３．１または小さな蓋付き容器３．２の円すい領域６．１、６．２を選択的に受けることができるように設計される。
【００７５】
底部１８は、下側から突出している足２１を有する。本実施例では、４個の足２１が角にあり、１つの中央部の足２１が、底部１８の中心を支持するためにある。足２１は、好ましくはその下側が少なくとも１つの材料を有し、その材料は作業台と比較して静摩擦が大きい。
【００７６】
支柱２２．１の形をした支持手段２２が、底部１８の角部からの上方に起立している。支柱２２．１は、プレート２用に頂部に支持領域２３を有する。底部１８の角より上に、案内ピン２４が支持領域２３から上方に起立している。
【００７７】
各支柱２２．１は、水平断面においてＬ字状であり、各支柱２２．１は下から上方へ広がっている。それぞれの支持領域２３は、プレート状であり、支柱２２．１の２つの脚部に外縁部で接続されており、内縁部で丸みを有する。各支持領域２３は、支柱２２．１の上縁部に対して下方へいくぶんずれて段差が形成されており、このずれは、保持プレート２の壁厚にほぼ対応する。案内ピン２４は、支持領域２３から支柱２２．１の上縁部までおおよそ上方へ突出する。
【００７８】
図７によると、蓋付き容器３．１のグループ１４．１または１４．２を有する保持プレート２は、ホルダ１７．１の頂部に配置されている。蓋付き容器３．１は、その円すい領域６．１によって底部１８の凹部１９に挿入される。案内ピン２４は、案内孔１３に係合し、保持プレート２は支持領域２３の頂部に載置されるまで、蓋付き容器３．１の円筒領域５．１の下方へ移動する。この位置において、保持プレート２は、角部で、支持領域２３より上に突出している支柱２２．１の部分によって案内される。
【００７９】
ねじ蓋７は、ユーザによって手動でネジ止めされたり外されたりする。つまり、被覆部２０によって蓋付き容器３．１が回転するのを防止されている。蓋付き容器３．１は、作業ユニット１６．１から容易に着脱可能である。すなわち、これらは、保持プレート２の凹形の位置によってわずかな隙間をあけてその円筒領域５．１で支持されているからである。
【００８０】
大きな蓋付き容器３．１に加えて、あるいはその代わりに、小さな蓋付き容器３．２を、作業ユニットに設けられている第２の孔１１．２および第１の孔１１．１に挿入してもよい。
【００８１】
保持プレート２に設けられている蓋付き容器３の使用後、保持プレート２を取り外し、蓋付き容器３を備えたさらなる保持プレート２をホルダ１７．１に挿入してもよい。この空の保持プレート２は、廃棄してもよいし、あるいは再利用してもよい。
【００８２】
図１１から図１３に示すホルダ１７．２は、支持手段２２が密閉された側壁２２．２として設計されている点で、上記記載と異なる。側壁２２．２は、円周方向のフレームを形成する。その結果、ホルダ１７．２は特に安定する。支持領域２３は、ホルダ１７．１と同様に設計され、側壁２２．２の上縁部に対していくぶん下方へずれて段部を形成している。案内ピン２４は、支持領域２３から側壁２２．２の上縁部まで上方へ突出する。
【００８３】
蓋付き容器３が上部に配置されている保持プレート２は、ホルダ１７．１と同様に、ホルダ１７．２に挿入可能である。保持プレート２は、その外周全体で側方にホルダ１７．２に案内される。
【００８４】
図１４によると、運搬ユニット１．２は、２つの保持プレート２を有する。この保持プレート２は、第１の孔１１．３および第２の孔１１．４を備える。これら孔１１．３、１１．４は、蓋付き容器３．１の円筒領域５．１を保持する。僅かに円すい形の円筒領域５．１を備えた設計によって、第１の孔１１．３は、第２の孔１１．４よりも僅か大きい。また、この設計によって、異なるグループ１４．１、１４．２の蓋付き容器３．１は、互いから離れて対向する異なる保持プレート２の外側にねじ蓋７．１を配置される。
【００８５】
図１５の運搬ユニット１．３によって、両方の保持プレート２は、第１の孔１１．５を有し、さらに、保持プレート２の内側に接触面２５を有する。接触面２５は、第１の孔１１．５間に配置されている。異なるグループ１４．１、１４．２の蓋付き容器３．１は、その円筒領域５．１で保持プレート２の第１の孔１１．５にそれぞれ保持され、その円すい領域６．１の下端部を接触面２５で軸方向に当接支持される。この端部で、蓋付き容器３．１は、接触面２５の隣で第１の孔１１．５に配置されている他のグループ１４．２の隣接する蓋付き容器３．１によって、径方向を囲われて付加的に支持される。
【００８６】
運搬ユニット１．３は、外装によってさらに安定する。加えて、または代わりに、この運搬ユニット１．３は、中間プレート２６によって安定可能になっている。中間プレート２６は、両方のグループ１４．１、１４．２の蓋付き容器３．１の円筒領域５．１を保持するさらなる孔１１．６を有する。なお、中間プレート２６は、図１５において、任意選択に設けることができる。
【００８７】
図１６によると、蓋付き容器３．１は、その円筒領域５．１の大きな直径で、第１の孔１１．１または１１．３または１１．４または１１．５によって保持される。
【００８８】
図１７の実施形態では、各第１の孔１１．１または１１．３または１１．４または１１．５の縁部に、蓋付き容器３．１を固着するばね要素２７が、さらに保持プレート２に設けられている。
【００８９】
図１８によると、保持プレート２は、円形の円筒カラー２８を有する。円筒カラー２８は内側から突出し、いずれの場合も、ねじ蓋７．１がそこに挿入されるかまたは固定される。
【００９０】
図１９によると、保持プレート２は、とげ状またはピン状の突起２９の形をした第１の保持手段を有し、これらはそれぞれ、蓋付き容器３．１のねじ蓋７．１のトラフ状の凹部３０に係合する。
【００９１】
図２０および図２１は、さらなる運搬にユニット１．４を示す。この運搬にユニット１．４は、２つの平行の保持プレート２およびそこに挿入される小さな蓋付き容器３．２から成る。小さな蓋付き容器３．２の幾何学的形状は、原則的に、大きな蓋付き容器３．１の幾何学的形状に対応する。小さな蓋付き容器３．２もまた、下端部に円すい領域６．２を備える円筒領域５．２と、円筒領域５．２の頂部に雄ねじとを有する。さらに、円筒領域５．２および円すい領域６．２は、中空であり、共に液体用の受け器を形成する。加えて、雌ねじを有するねじ蓋７．２が、雄ねじにネジ止めされる。小さな蓋付き容器３．２の長さは、大きな容器３．１の長さと一致している。しかし、小さな容器３．２は、大きな容器３．１よりも直径が小さい。
【００９２】
運搬ユニット１．４では、小さな蓋付き容器３．２もまた、２つのグループ１４．１および１４．２を形成する。１つのグループ１４．１の蓋付き容器は、その円筒領域５．２によって１つ保持プレート２の第１の孔１１．１に固定され、その円筒領域５．２の下端部によって他の保持プレート２の第２の孔１１．２に固定される。他のグループ１４．２の蓋付き容器３．２は、その円筒領域５．２によって１つの保持プレート２の第１の孔１１．１に固定され、その円筒領域５．２の下端部によって他の保持プレート２の第２の孔１１．２に固定される。ねじ蓋７．２は、第１の孔１１．１よりも大きな直径を有するので、これらの孔を通って滑ることは不可能である。
【００９３】
周囲条件の影響からの保護および安定化のために、運搬ユニットは外装１５を含むことが好ましい。図２および図２０では、運搬ユニット１．１および１．４は、ボール紙でできている外装１５．１、１５．２を備えて示されている。
【００９４】
蓋付き容器３および保持プレート２は、プラスチック製が好ましい。容器の下部４はポリプロピレンから製造されるのが好ましく、ねじ蓋７はポリエチレンから製造される。保持プレート２は、例えば、ポリプロピレンまたはポリカーボネートから製造される。
【００９５】
運搬ユニット１．５の第１の孔１１．１および第２の孔１１．２は、小さな蓋付き容器３．２の円筒領域５．２および円すい領域６．２の直径に合致している。
【００９６】
蓋付き容器３を備えた運搬ユニット１．２〜１．４の保持プレート２は、互いから離反する方向に引っ張ることも可能であり、作業ユニット１６を形成するためにホルダ１７に配置可能である。
【符号の説明】
【００９７】
１、１．１〜１．５  運搬ユニット
２  保持プレート
３、３．１、３．２  蓋付き容器
４、４．１、４．２  容器
５、５．１、５．２  円筒領域
６、６．１、６．２  円すい領域
７、７．１、７．２  ねじ蓋
８、８．１、８．２  蓋の底部
９、９．１、９．２  蓋のケーシング
１０  プレート
１１，１１．１〜１１．６  孔
１２  角部
１３  案内孔
１４、１４．１、１４．２  グループ
１５、１５．１、１５．２  外装
１６、１６．１、１６．２  作業ユニット
１７、１７．１、１７．２  ホルダ
１８  底部
１９  凹部
２０  被覆部
２１  足部
２２、２２．１、２２．２  支持手段
２３  支持領域
２４  案内ピン
２５  接触領域
２６  中間プレート
２７  ばね要素
２８  カラー
２９  突起
３０  凹部
【図１】
2014015262.tif 000004
【図２】
2014015262.tif 000005
【図３】
2014015262.tif 000006
【図４】
2014015262.tif 000007
【図５】
2014015262.tif 000008
【図６】
2014015262.tif 000009
【図７】
2014015262.tif 000010
【図８】
2014015262.tif 000011
【図９】
2014015262.tif 000012
【図１０】
2014015262.tif 000013
【図１１】
2014015262.tif 000014
【図１２】
2014015262.tif 000015
【図１３】
2014015262.tif 000016
【図１４】
2014015262.tif 000017
【図１５】
2014015262.tif 000018
【図１６】
2014015262.tif 000019
【図１７】
2014015262.tif 000020
【図１８】
2014015262.tif 000021
【図１９】
2014015262.tif 000022
【図２０】
2014015262.tif 000023
【図２１】
2014015262.tif 000024
【外国語明細書】
2014015262000001.pdf
2014015262000002.pdf
2014015262000003.pdf
2014015262000004.pdf